(57)【特許請求の範囲】
【請求項１】
本体ケーシングの内部にランプと、このランプのリード線およびランプ電線をつなぐ接続手段とを備えた照明装置において、前記接続手段は、本体ケーシングの電線受部に設けられたビスと、該ビスにナットで締結されたランプ電線の端子と、ランプのリード線につながる丸形端子と、該丸形端子を回動自在に保持し、前記ビスに締結される締付ナットとを有し、前記締付ナットには小径部を形成し、この小径部には前記丸形端子を遊嵌し、この丸形端子を止め輪で前記小径部に保持し、該締付ナットは締結完了時にナットの凹部に進入する凸部を有し、該締結完了時にはナットの凹部に締付ナットの凸部を進入させて、締付ナットとナット間で丸形端子および止め輪を面接触により挟持したことを特徴とする照明装置。
【発明の詳細な説明】
【０００１】
【発明の属する技術分野】
本発明は、端子の接続を容易にした照明装置に関する。
【０００２】
【従来の技術】
従来、図５に示すように、電線受部（第一締結部材）５１に対して接続ねじ（第二締結部材）５３を回動させながら電線受部５１と接続ねじ５３との間に丸形端子５５を接続したり、図６に示すように、接続ねじ（第一締結部材）６１に対して締結ナット（第二締結部材）６３を回動させながら接続ねじ６１と締結ナット６３との間にＹ形端子６５を接続するようにした接続装置は知られている。符号５７，６７は夫々ランプである。
【０００３】
【発明が解決しようとする課題】
この種のものでは、接続時、或いは取外時に接続ねじ５３、または締結ナット６３を誤って落下させて紛失したり、図５のものでは、接続時、或いは取外時に必ず工具が必要になったり、図６のものでは、接続時にＹ形端子６５が捻られて横滑りを起こして、脱落したりする等の問題がある。
【０００４】
特に、両口金タイプのショートアークメタハラランプを用いた照明装置のように、４０〜５０ｍの高所に置かれる照明装置にあってはランプ交換の際に必要な端子接続作業が、高所故に非常に困難になるという問題がある。
【０００５】
そこで、本発明の目的は、上述した従来の技術が有する課題を解消し、端子接続がきわめて容易な照明装置を提供することにある。
【０００６】
【課題を解決するための手段】
請求項１に記載の発明は、本体ケーシングの内部にランプと、このランプのリード線およびランプ電線をつなぐ接続手段とを備えた照明装置において、前記接続手段は、本体ケーシングの電線受部に設けられたビスと、該ビスにナットで締結されたランプ電線の端子と、ランプのリード線につながる丸形端子と、該丸形端子を回動自在に保持し、前記ビスに締結される締付ナットとを有し、前記締付ナットには小径部を形成し、この小径部には前記丸形端子を遊嵌し、この丸形端子を止め輪で前記小径部に保持し、該締付ナットは締結完了時にナットの凹部に進入する凸部を有し、該締結完了時にはナットの凹部に締付ナットの凸部を進入させて、締付ナットとナット間で丸形端子および止め輪を面接触により挟持したことを特徴とする。
【０００９】
これらの発明によれば、端子を保持したまゝ第二締結部材（締付ナット）を回動させるだけで、両締結部材間に端子を接続できるので、作業が簡単であり、第二締結部材（締付ナット）を落としたりすることはない。
【００１０】
【発明の実施の形態】
以下、本発明による照明装置の一実施の形態を添付図面を参照して説明する。
【００１１】
図１は照明装置の一部を示している。図１において、１は本体ケーシングを示し、この本体ケーシング１内には、両口タイプのランプ３が収納され、このランプ３を包囲するように補助の反射板５が設けられる。この反射板５には略Ｕ字状の一対の切欠き７が形成され、一対の切欠き７には、ランプ３の両端部が嵌め込まれる。ランプ３の両端にはそれぞれ充電部９が設けられ、一対の充電部９間にはモリブデン箔１１が設けられる。ランプ３の両端は、図２に示すように、切欠き７を通じて、反射板５と本体ケーシング１との間の空間１３に導出される。
【００１２】
この空間１３には、ランプ電線１５とランプ３のリード線１７とをつなぐための接続手段１９が設けられる。
【００１３】
この接続手段１９は、図３に示すように、本体ケーシング１に固定される電線受部２１を有し、この電線受部２１には導伝性の黄鋼により形成されたビス（「第一締結部材」）２３が埋設されている。このビス２３には、ランプ電線１５の端子２５が嵌合され、この端子２５は導伝性の黄鋼により形成されたナット２７を用いてビス２３に固定される。
【００１４】
一方、ランプ３のリード線１７には丸形端子２９が接続され、この丸形端子２９は締付ナット（「第二締結部材」）３１の小径部３１ｂに遊嵌される。
【００１５】
この丸形端子２９の接続状態を詳述すると、締付ナット３１には、大径部３１ａと段付きの小径部３１ｂとが形成されており、この小径部３１にはリング溝３１ｄ（図４ｂ）が形成されている。この小径部３１ｂには、まず、真鍮又はリン青銅にニッケルメッキした平座金３３が嵌め込まれ、ついで前述した丸形端子２９が遊嵌され、更には、真鍮又はリン青銅にニッケルメッキした平座金３５が嵌め込まれ、最後において、これらの部材３３，２９，３５が抜け出さないように、リング溝３１ｄに例えばＥ型止め輪３７が嵌合される。尚、このＥ型止め輪３７の厚さは、リング溝３１ｄの幅よりもかなり小さくなっており、このＥ型止め輪３７は小径部３１ｂに対して、上下に移動可能に取り付けられている。
【００１６】
これによれば、締付ナット（「第二締結部材」）３１を回動させる時に、小径部３１ｂに遊嵌された丸形端子２９は空回り可能である。そして、この実施の形態によれば、締付ナット（「第二締結部材」）３１は回り継手になっているので、締付ナット３１と丸形端子２９及び平座金３３，３５との間には、スイベル効果（回転効果）が生じる構造になっている。
【００１７】
また、締付ナット３１の大径部３１ａの外周には平目状のローレット加工が施されるので、この大径部３１ａを掴んで回動させることができるので、この締付ナット３１の回動・操作に工具などは不要である。
【００１８】
この実施の形態によれば、図３に示すように、ランプ電線１５の端子２５をナット２７を用いて予めビス２３（「第一締結部材」）に固定し、且つ、リード線１７の丸形端子２９を、前述のように、締付ナット（「第二締結部材」）３１の小径部３１ａに予め遊嵌・接続する。
【００１９】
ついで丸形端子２９を保持したまゝの締付ナット（「第二締結部材」）３１を、ビス２３（「第一締結部材」）に対して回動させて、両締結部材２３，３１間に丸形端子２９を電気的に接続する。
【００２０】
この締付ナット（「第二締結部材」）３１による締結完了時には、図４ａ，ｂに示すように、ナット２７の上面の凹部２７ａに、締付ナット３１の下面の凸部３１ｃが進入するようになっており、この凸部３１ｃが進入することにより、締付ナット３１の段部３１ｅとナット２７の上面との間で、各部材３３，２９，３５、３７が面接触により強固に挟持される。
【００２１】
この接続作業時には、締付ナット（「第二締結部材」）３１とリード線１７の丸形端子２９とは一体であるので、誤って締付ナット３１のみを落下することはない。特に、両口金タイプのショートアークメタハラランプを用いた照明装置のように、４０〜５０ｍの高所に置かれる照明装置にあっても、端子接続作業が簡単になるので、ランプ交換の作業は容易である。
【００２２】
以上、一実施の形態を参照して本発明を説明したが、本発明は、これに限定されるものではない。例えば、上記実施の形態では照明器具について述べたが、当然、照明器具に限定されるものではなく、それ以外の種々の端子接続装置に適用されることは言うまでもない。
【００２３】
【発明の効果】
以上の説明から明らかなように、本発明によれば、端子を保持したまゝ第二締結部材を回動させるだけで、両締結部材間に端子を接続できるので、作業が簡単であり、第二締結部材を落としたりすることはない。
【図面の簡単な説明】
【図１】本発明の照明器具の一実施の形態を示す正面図である。
【図２】図１の斜視図である。
【図３】本発明の端子接続装置の一実施の形態を示す断面図である。
【図４】ａ，ｂは、本発明の端子接続装置の一実施の形態を示す断面図、ナットの一部断面図である。
【図５】従来の端子接続装置を示す斜視図である。
【図６】従来の端子接続装置を示す斜視図である。
【符号の説明】
１  本体ケーシング
３  ランプ
５  反射板
１５  ランプ電線
１７  リード線
１９  接続手段
２３  ボルト（「第一締結部材」）
２９  丸形端子
３１  締付ナット（「第二締結部材」）
３１ｂ  小径部
３３，３５  平座金
３７  Ｅ型止め輪
【図１】
0003908806.tif 000002
【図２】
0003908806.tif 000003
【図３】
0003908806.tif 000004
【図４】
0003908806.tif 000005
【図５】
0003908806.tif 000006
【図６】
0003908806.tif 000007